【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
現像剤を収容する現像容器と、前記現像剤を担持するための現像部材とを有し、前記現像部材に印加される現像バイアスの周波数を複数設定可能な画像形成装置であって、
前記現像容器内の現像剤量を検知するための検知部材と、
前記検知部材からの検出値に基づいて前記現像容器内の現像剤量を求める処理ユニットとを有し、
前記処理ユニットは、前記現像バイアスの周波数と前記検知部材からの検出値とに応じて、前記検出値を補正して、補正した値に基づいて前記現像剤量を求めることを特徴とする画像形成装置。
【請求項２】
前記検出値を補正するための補正値は、前記現像バイアスの周波数に対応する値であることを特徴とする請求項１に記載の画像形成装置。
【請求項３】
前記現像バイアスの周波数は、画像形成に用いられる記録材の種類に応じて設定されることを特徴とする請求項１又は２に記載の画像形成装置。
【請求項４】
前記処理ユニットは、前記現像部材と前記検知部材との間の静電容量を検出することによって前記現像剤量を求めることを特徴とする請求項１乃至３のいずれか１項に記載の画像形成装置。
【請求項５】
現像剤を収容する現像容器と、前記現像剤を担持するための現像部材とを有し、前記現像部材に印加される現像バイアスの周波数を複数設定可能な画像形成装置であって、
前記現像容器内の現像剤量を検知するための第１検知部材と、
前記現像容器内の現像剤量を検知するための第２検知部材と、
前記現像バイアスの周波数と、前記第１検知部材からの第１検出値、または、前記第２検知部材からの第２検出値とに基づいて前記現像容器内の現像剤量を求める処理ユニットと
を有することを特徴とする画像形成装置。
【請求項６】
前記処理ユニットは、前記現像バイアスの周波数に応じて、前記第１検出値と前記第２検出値とを補正して、補正した値に基づいて、前記現像剤量を求めることを特徴とする請求項５に記載の画像形成装置。
【請求項７】
前記検出値を補正するための補正値は、前記現像バイアスの周波数に対応する値であることを特徴とする請求項６に記載の画像形成装置。
【請求項８】
前記処理ユニットは、前記現像バイアスの周波数と、前記第１検出値または前記第２検出値とに応じて、前記第１検出値または前記第２検出値を補正することを特徴とする請求項５乃至７のいずれか１項に記載の画像形成装置。
【請求項９】
前記現像バイアスの周波数は、画像形成に用いられる記録材の種類に応じて設定されることを特徴とする請求項５乃至８のいずれか１項に記載の画像形成装置。
【請求項１０】
前記処理ユニットは、前記現像部材と前記第１検知部材、または、第２検知部材との間の静電容量を検出することによって前記現像剤量を求めることを特徴とする請求項５乃至９のいずれか１項に記載の画像形成装置。
【請求項１１】
現像剤を収容する現像容器と、前記現像剤を担持するための現像部材とを有し、前記現像部材に印加される現像バイアスの周波数を複数設定可能な画像形成装置の現像剤量検知方法であって、
前記現像容器内の現像剤量を検知するための検知部材が検出値を検出する工程と、
前記現像バイアスの周波数と前記検出値とに応じて、前記検出値を補正する工程と、
補正された前記検出値に基づいて前記現像容器内の現像剤量を求める工程と
を有することを特徴とする現像剤量検知方法。
【請求項１２】
前記検出値に応じて、前記検出値を補正するための補正値を切り替える工程をさらに有することを特徴とする請求項１１に記載の現像剤量検知方法。
【請求項１３】
現像剤を収容する現像容器と、前記現像剤を担持するための現像部材とを有し、前記現像部材に印加される現像バイアスの周波数を複数設定可能な画像形成装置の現像剤量検知方法であって、
前記現像容器内の現像剤量を検知するための第１検知部材が第１検出値を検出する工程と、
前記現像容器内の現像剤量を検知するための第２検知部材が第２検出値を検出する工程と、
前記現像バイアスの周波数と、前記第１検出値または第２検出値とに基づいて前記現像容器内の現像剤量を求める工程と
を有することを特徴とする現像剤量検知方法。
【請求項１４】
前記現像バイアスの周波数に応じて、前記第１検出値または前記第２検出値を補正する工程をさらに有することを特徴とする請求項１３に記載の現像剤量検知方法。
【請求項１５】
前記第１検出値または前記第２検出値に応じて、対応する前記第１検出値または第２検出値をそれぞれ補正するための補正値を切り替える工程をさらに有することを特徴とする請求項１３又は１４に記載の現像剤量検知方法。
【請求項１６】
現像剤を収容する現像容器と、前記現像剤を担持するための現像部材とを有し、画像形成に用いられる記録媒体の種類に応じて前記現像部材に印加される現像バイアスの周波数を複数設定可能な画像形成装置であって、
前記現像容器内の現像剤量を検知するための検知部材と、
前記検知部材からの検出値に基づいて前記現像容器内の現像剤量を求める処理ユニットとを有し、
前記処理ユニットは、前記現像バイアスの周波数に応じて、前記検出値を補正して、補正した値に基づいて前記現像剤量を求めることを特徴とする画像形成装置。
【請求項１７】
前記検出値を補正するための補正値は、前記現像バイアスの周波数に対応する値であることを特徴とする請求項１６に記載の画像形成装置。
【請求項１８】
前記処理ユニットは、前記現像部材と前記検知部材との間の静電容量を検出することによって前記現像剤量を求めることを特徴とする請求項１６又は１７に記載の画像形成装置。
【請求項１９】
現像剤を収容する現像容器と、前記現像剤を担持するための現像部材とを有し、画像形成に用いられる記録媒体の種類に応じて前記現像部材に印加される現像バイアスの周波数を複数設定可能な画像形成装置の現像剤量検知方法であって、
前記現像容器内の現像剤量を検知するための検知部材からの検出値を検出する工程と、
前記現像バイアスの周波数に応じて、前記検出値を補正する工程と、
補正された前記検出値に基づいて前記現像容器内の現像剤量を求める工程と
を有することを特徴とする現像剤量検知方法。
【手続補正２】
【補正対象書類名】明細書
【補正対象項目名】００１３
【補正方法】変更
【補正の内容】
【００１３】
上記目的を達成するための、本発明の画像形成装置は、現像剤を収容する現像容器と、前記現像剤を担持するための現像部材とを有し、前記現像部材に印加される現像バイアスの周波数を複数設定可能な画像形成装置であって、前記現像容器内の現像剤量を検知するための検知部材と、前記検知部材からの検出値に基づいて前記現像容器内の現像剤量を求める処理ユニットとを有し、前記処理ユニットは、前記現像バイアスの周波数と前記検知部材からの検出値とに応じて、前記検出値を補正して、補正した値に基づいて前記現像剤量を求めることを特徴とする。
【手続補正３】
【補正対象書類名】明細書
【補正対象項目名】００１５
【補正方法】変更
【補正の内容】
【００１５】
また、本発明の他の画像形成装置は、現像剤を収容する現像容器と、前記現像剤を担持するための現像部材とを有し、画像形成に用いられる記録媒体の種類に応じて前記現像部材に印加される現像バイアスの周波数を複数設定可能な画像形成装置であって、前記現像容器内の現像剤量を検知するための検知部材と、前記検知部材からの検出値に基づいて前記現像容器内の現像剤量を求める処理ユニットとを有し、前記処理ユニットは、前記現像バイアスの周波数に応じて、前記検出値を補正して、補正した値に基づいて前記現像剤量を求めることを特徴とする。
【手続補正４】
【補正対象書類名】明細書
【補正対象項目名】００１６
【補正方法】変更
【補正の内容】
【００１６】
また、本発明の現像剤量検知方法は、現像剤を収容する現像容器と、前記現像剤を担持するための現像部材とを有し、前記現像部材に印加される現像バイアスの周波数を複数設定可能な画像形成装置の現像剤量検知方法であって、前記現像容器内の現像剤量を検知するための検知部材が検出値を検出する工程と、前記現像バイアスの周波数と前記検出値とに応じて、前記検出値を補正する工程と、補正された前記検出値に基づいて前記現像容器内の現像剤量を求める工程と、を有することを特徴とする。
【手続補正５】
【補正対象書類名】明細書
【補正対象項目名】００１７
【補正方法】変更
【補正の内容】
【００１７】
また、本発明の他の現像剤量検知方法は、現像剤を収容する現像容器と、前記現像剤を担持するための現像部材とを有し、前記現像部材に印加される現像バイアスの周波数を複数設定可能な画像形成装置の現像剤量検知方法であって、前記現像容器内の現像剤量を検知するための第１検知部材が第１検出値を検出する工程と、前記現像容器内の現像剤量を検知するための第２検知部材が第２検出値を検出する工程と、前記現像バイアスの周波数と、前記第１検出値または第２検出値とに基づいて前記現像容器内の現像剤量を求める工程と、を有することを特徴とする。
【手続補正６】
【補正対象書類名】明細書
【補正対象項目名】００１８
【補正方法】変更
【補正の内容】
【００１８】
また、本発明の他の現像剤量検知方法は、現像剤を収容する現像容器と、前記現像剤を担持するための現像部材とを有し、画像形成に用いられる記録媒体の種類に応じて前記現像部材に印加される現像バイアスの周波数を複数設定可能な画像形成装置の現像剤量検知方法であって、前記現像容器内の現像剤量を検知するための検知部材からの検出値を検出する工程と、前記現像バイアスの周波数に応じて、前記検出値を補正する工程と、補正された前記検出値に基づいて前記現像容器内の現像剤量を求める工程と、を有することを特徴とする。